(57)【要約】【課題】異なる周波数において患者との絶縁を確保する絶縁障壁を有する、異なる周波数を用いる多機能電気外科発生器を提供すること。【解決手段】切除システムであって、第１のタイプのエネルギを供給する第１のエネルギ源と、該第１のタイプのエネルギとは異なる第２のタイプのエネルギを供給する第２のエネルギ源と、該第１のエネルギ源からの該第１のタイプのエネルギと該第２のエネルギ源からの該第２のタイプのエネルギとを多重化し、出力を切除デバイスに提供するように構成されたダイプレクサと、該第１のエネルギ源と該ダイプレクサとに動作可能に結合された、第１の絶縁デバイスと、該第２のエネルギ源と該ダイプレクサとに動作可能に結合された、第２の絶縁デバイスとを含む、切除システム。【選択図】図１
2011172935.tif 000002
【特許請求の範囲】
【請求項１】
切除システムであって、
第１のタイプのエネルギを供給する第１のエネルギ源と、
該第１のタイプのエネルギとは異なる第２のタイプのエネルギを供給する第２のエネルギ源と、
該第１のエネルギ源からの該第１のタイプのエネルギと該第２のエネルギ源からの該第２のタイプのエネルギとを多重化し、出力を切除デバイスに提供するように構成されたダイプレクサと、
該第１のエネルギ源と該ダイプレクサとに動作可能に結合された、第１の絶縁デバイスと、
該第２のエネルギ源と該ダイプレクサとに動作可能に結合された、第２の絶縁デバイスと
を含む、
切除システム。
【請求項２】
前記第１のエネルギ源と前記第２のエネルギ源とを制御するように構成された制御装置をさらに含む、請求項１に記載の切除システム。
【請求項３】
前記第１のエネルギ源がマイクロ波発生器である、請求項１に記載の切除システム。
【請求項４】
前記絶縁デバイスのうちの少なくとも１つは、誘導結合、容量結合またはアンテナからアンテナへのエネルギ移送によって、エネルギを移送する、請求項１に記載の切除システム。
【請求項５】
前記第２のエネルギ源が無線周波数発生器である、請求項１に記載の切除システム。
【請求項６】
マイクロ波切除システムであって、
発生器であって、第１のタイプのエネルギを供給する第１のエネルギ源と、該第１のタイプのエネルギとは異なる第２のタイプのエネルギを供給する第２のエネルギ源と、該第１のエネルギ源と該第２のエネルギ源とユーザインターフェイスとにパワーを供給するパワー源とを含む、発生器と、
ケーブルであって、該第１のタイプのエネルギを伝送するように構成された内側導体と、該第２のタイプのエネルギを伝送するように構成された外側導体と、該内側導体と外側導体との間に配置された誘電体材料とを含む、ケーブルと、
該内側導体の第１の部分および該内側導体の第２の部分に直列である、少なくとも１つのキャパシタと、
該外側導体の第１の部分および該外側導体の第２の部分に直列である、少なくとも１つのキャパシタと、
を含む、
マイクロ波切除システム。
【請求項７】
前記ケーブルの周りのシールド材料をさらに含む、請求項６に記載のマイクロ波切除システム。
【請求項８】
前記ユーザインターフェイスは、前記第１のエネルギ源と前記第２のエネルギ源を制御するように構成された制御装置を含む、請求項６に記載のマイクロ波切除システム。
【請求項９】
各々のキャパシタが個別部品である、請求項６に記載のマイクロ波切除システム。
【請求項１０】
各々のキャパシタが誘電体材料の層から形成される、請求項６に記載のマイクロ波切除システム。
【請求項１１】
前記第１のエネルギ源はマイクロ波発生器である、請求項６に記載のマイクロ波切除システム。
【請求項１２】
前記第２のエネルギ源は無線周波数発生器である、請求項６に記載のマイクロ波切除システム。
【発明の詳細な説明】
【技術分野】
【０００１】
（１．技術分野）
本開示は、概して、疾患の診断および治療のために組織に直接挿入され得るマイクロ波アンテナを有するマイクロ波外科デバイスを利用するマイクロ波切除手順に関する。より詳細には、本開示は、マイクロ波および無線周波数エネルギを利用する多目的発生器を対象とする。
【背景技術】
【０００２】
（２．背景技術）
癌のような疾患の治療において、あるタイプの癌細胞は、（健康な細胞には通常有害な温度よりも僅かに低い）高温において変性することが見出された。概して高体温療法として知られるこれらのタイプの治療は、一般に電磁放射線を利用して疾患の細胞を約４１℃より高い温度に加熱し、一方、隣接する健康な細胞を、不可逆性の細胞破壊が生じないような、より低い温度に維持する。電磁放射線を利用して組織を加熱する他の手順は、また、組織の切除および凝固を含む。例えば月経過多に対して行なわれるような、マイクロ波切除手順は、一般に目的組織を切除および凝固するために行なわれ、組織を変性するかあるいは殺すかである。電磁放射線療法を利用する多くの手順およびタイプの装置が、当該分野で公知である。そのようなマイクロ波療法は、組織および、前立腺、心臓、肝臓、肺、腎臓および乳房のような器官の治療において一般に使用される。
【０００３】
１つの低侵襲性手順は、概して、マイクロ波エネルギの使用を介する、皮膚の下にある組織の治療（例えば、腫瘍）を含む。マイクロ波エネルギは、低侵襲的に皮膚を貫通し下にある組織に到達できる。しかしながら、この低侵襲性手順は、健康な組織の望まれない加熱をもたらし得る。従って、マイクロ波エネルギの低侵襲的使用は、多くの制御を必要とする。
【０００４】
現在では、例えば、単極、双極およびヘリカルである、いくつかのタイプのマイクロ波プローブが使用されている。１つのタイプは、単極アンテナプローブであり、これは、プローブの端に露出された単一の細長いマイクロ波導体からなる。プローブは、一般に、誘電体スリーブによって囲まれている。一般に使用される第２のタイプのマイクロ波プローブは、双極アンテナであり、これは、内側導体の一部分を分離する誘電体接合を有する内側導体と外側導体とを有する同軸構成からなる。内側導体は、第１の双極放射部分に対応する部分に結合され得、また、外側導体の一部分は、第２の双極放射部分に結合され得る。双極放射部分は、一方の放射部分が誘電体接合に近接して配置され、他方の部分が誘電体接合の遠位に配置される。単極および双極アンテナプローブにおいて、マイクロ波エネルギは、一般に導体の軸から垂直に放射する。
【０００５】
典型的なマイクロ波アンテナは、プローブの軸に沿って延び、また誘電体材料によって囲まれ、さらに誘電体材料の回りの外側導体によって囲まれている長くて薄い内側導体を有し、外側導体が、また、プローブの軸に沿って延びる。エネルギあるいは加熱の効果的な外側放射を提供するプローブの別の変形において、外側導体の１つの部分あるいは複数の部分が選択的に除去され得る。このタイプの構成は、一般に「漏洩導波管」あるいは、「漏洩同軸」アンテナと呼ばれる。マイクロ波プローブに関する別の変形は、螺旋のような均一な渦巻パターンに形成された先端を有し、効率的な放射のために必要な構成を提供する。この変形は、例えば、軸に垂直な、また、（例えば、アンテナの遠位端に向かう）前方方向、あるいはそれらの組み合わせのように、エネルギを特定の方向に向けるために使用され得る。
【０００６】
侵襲性手順およびデバイスが開発されてきており、それらにおいてマイクロ波アンテナプローブは正常な体のオリフィスを介して治療ポイントに直接挿入されるか、あるいは、経皮的に挿入されるかであり得る。そのような侵襲性手順およびデバイスは、治療されている組織のより良好な温度制御を可能性として提供する。変性する悪性の細胞に必要な温度と健康な細胞に有害な温度との間の小さな差のために、加熱が治療されるべき組織に制限されるように、既知の加熱パターンおよび予測可能な温度制御が重要である。例えば、約４１．５℃の閾値温度における高体温治療は、通常、細胞の悪性成長の大部分にはほとんど効果がない。しかしながら、約４３℃から４５℃の範囲をわずかに超えて上昇した温度においては、ほとんどのタイプの正常細胞に対する熱損傷が、日常的に観測されている。よって、健康な組織においてこれらの温度を超えないように大きな注意が払われなければならない。
【０００７】
組織切除の場合、約５００ＭＨｚから約１０ＧＨｚの範囲のマイクロ波の周波数電流が、目的組織部位に印加されて、特定の大きさおよび形状を有し得る切除体積を生成する。切除体積は、アンテナ設計、アンテナ性能、アンテナインピーダンスおよび組織インピーダンスに相関する。所望の外科結果を達成するために、特定のタイプの組織切除手順は、特定の切除体積を決定し得る。例として、また、それらに限定することなく、脊髄切除手順は、長くて狭い切除体積を要求し、一方、前立腺切除手順においては、より球形の切除体積が必要とされ得る。
【０００８】
電気外科発生器において患者の安全を確実にするために使用される１つの共通の設計慣習は、発生器と患者との間に絶縁障壁を生成することである。これは、発生器の出力を地面接地から隔離することによって達成される。絶縁障壁は様々な一般に受け入れられている回路、例えば、変圧器あるいは約６０Ｈｚでは低いインピーダンスを有するキャパシタ、によって生成され得る。
【０００９】
マイクロ波切除デバイスは、外科手順の間に２つの異なる周波数を使用する、多機能発生器を利用し得る。発生器は、切開および凝固に対して無線周波数（ＲＦ）を、また、切除に対してマイクロ波周波数を使用し得る。多機能発生器が使用される場合、患者に対する異なる周波数の絶縁が困難になり得る。これは、ＲＦおよびマイクロ波に対する動作周波数の間の差に部分的には起因する。動作周波数が、ＲＦとマイクロ波との間でかなり離れているので、１つの周波数に対して働く絶縁障壁が、別の周波数に対してはうまく働かないのである。
【発明の概要】
【課題を解決するための手段】
【００１０】
本開示は、マイクロ波切除システムを提供する。本開示の実施形態において、マイクロ波切除システムは、第１のタイプのエネルギを組織に供給する第１のエネルギ源を有する発生器を含む。発生器は、また、第２のタイプのエネルギを組織に供給する第２のエネルギ源を有する。ダイプレクサがまた提供され、これは第１のエネルギ源からの第１のタイプのエネルギと第２のエネルギ源からの第２のタイプのエネルギを多重化し切除デバイスに出力を提供するように動作可能である。さらに、発生器は、第１の絶縁デバイスを含み、これは第１のエネルギ源およびダイプレクサに結合されている。また、発生器は、第２の絶縁デバイスを含み、これは第２のエネルギ源およびダイプレクサに結合されている。
【００１１】
システムは、また、第１のエネルギ源および第２のエネルギ源を制御するように動作可能な制御装置を有する。第１のエネルギ源は、マイクロ波発生器であり、第２のエネルギ源は無線周波数発生器である。第１および第２の絶縁デバイスは、誘導結合、容量結合あるいはアンテナからアンテナへのエネルギ移送によって、エネルギを移送し得る。
【００１２】
本開示は、また、別のマイクロ波切除システムを提供する。マイクロ波切除システムは、第１のタイプのエネルギを組織に供給する第１のエネルギ源および第２のタイプのエネルギを組織に供給する第２のエネルギ源を含む発生器と、第１および第２のエネルギ源にパワーを与えるパワー源と、ユーザインターフェイスとを含む。このシステムは、また、第１のタイプのエネルギを組織に伝送する内側導体と、第２のタイプのエネルギを組織に伝送する外側導体と、それらの間に配置された誘電体材料と、を有するケーブルを含む。少なくとも１つのキャパシタが内側導体の第１の部分と内側導体の第２の部分に直列に配置され、かつ、少なくとも１つのキャパシタが外側導体の第１の部分と外側導体の第２の部分に直列に配置される。
【００１３】
別の実施形態では、マイクロ波切除システムは、また、ケーブルの周りにシールド材料を有し得る。
【００１４】
別の実施形態において、ユーザインターフェイスは、第１のエネルギ源および第２のエネルギ源を制御するように動作可能な制御装置を含み得る。第１のエネルギ源は、マイクロ波発生器であり、第２のエネルギ源は無線周波数発生器である。
【００１５】
別の実施形態において、各キャパシタは個別部品であるか、あるいは、絶縁材料の層から形成される。
【００１６】
本発明は、さらに以下の手段を提供する。
（項目１）
切除システムであって、
第１のタイプのエネルギを供給する第１のエネルギ源と、
該第１のタイプのエネルギとは異なる第２のタイプのエネルギを供給する第２のエネルギ源と、
該第１のエネルギ源からの該第１のタイプのエネルギと該第２のエネルギ源からの該第２のタイプのエネルギとを多重化し、出力を切除デバイスに提供するように構成されたダイプレクサと、
該第１のエネルギ源と該ダイプレクサとに動作可能に結合された、第１の絶縁デバイスと、
該第２のエネルギ源と該ダイプレクサとに動作可能に結合された、第２の絶縁デバイスと
を含む、
切除システム。
（項目２）
上記第１のエネルギ源と上記第２のエネルギ源とを制御するように構成された制御装置をさらに含む、上記項目に記載の切除システム。
（項目３）
上記第１のエネルギ源がマイクロ波発生器である、上記項目のいずれか一項に記載の切除システム。
（項目４）
上記絶縁デバイスのうちの少なくとも１つは、誘導結合、容量結合またはアンテナからアンテナへのエネルギ移送によって、エネルギを移送する、上記項目のいずれか一項に記載の切除システム。
（項目５）
上記第２のエネルギ源が無線周波数発生器である、上記項目のいずれか一項に記載の切除システム。
（項目６）
マイクロ波切除システムであって、
発生器であって、第１のタイプのエネルギを供給する第１のエネルギ源と、該第１のタイプのエネルギとは異なる第２のタイプのエネルギを供給する第２のエネルギ源と、該第１のエネルギ源と該第２のエネルギ源とユーザインターフェイスとにパワーを供給するパワー源とを含む、発生器と、
ケーブルであって、該第１のタイプのエネルギを伝送するように構成された内側導体と、該第２のタイプのエネルギを伝送するように構成された外側導体と、該内側導体と外側導体との間に配置された誘電体材料とを含む、ケーブルと、
該内側導体の第１の部分および該内側導体の第２の部分に直列である、少なくとも１つのキャパシタと、
該外側導体の第１の部分および該外側導体の第２の部分に直列である、少なくとも１つのキャパシタと、
を含む、
マイクロ波切除システム。
（項目７）
上記ケーブルの周りのシールド材料をさらに含む、上記項目に記載のマイクロ波切除システム。
（項目８）
上記ユーザインターフェイスは、上記第１のエネルギ源と上記第２のエネルギ源を制御するように構成された制御装置を含む、上記項目のいずれか一項に記載のマイクロ波切除システム。
（項目９）
各々のキャパシタが個別部品である、上記項目のいずれか一項に記載のマイクロ波切除システム。
（項目１０）
各々のキャパシタが誘電体材料の層から形成される、上記項目のいずれか一項に記載のマイクロ波切除システム。
（項目１１）
上記第１のエネルギ源はマイクロ波発生器である、上記項目のいずれか一項に記載のマイクロ波切除システム。
（項目１２）
上記第２のエネルギ源は無線周波数発生器である、上記項目のいずれか一項に記載のマイクロ波切除システム。
（摘要）
本開示は、切除システムを提供する。この切除システムは、第１のタイプのエネルギを組織に供給する第１のエネルギ源を有する発生器を含む。発生器は、また、第１のタイプのエネルギとは異なる第２のタイプのエネルギを組織に供給する第２のエネルギ源を有する。ダイプレクサが提供され、このダイプレクサは第１のエネルギ源からの第１のタイプのエネルギと、第２のエネルギ源からの第２のタイプのエネルギとを多重化し、出力を切除デバイスに提供するように動作可能である。さらに、この発生器は、第１のエネルギ源とダイプレクサに結合された第１の絶縁デバイスと、第２のエネルギ源とダイプレクサに結合された第２の絶縁デバイスとを含む。
【図面の簡単な説明】
【００１７】
本開示の、上記のおよび他の局面、特徴、および利点が、以下の詳細な記述に照らして、添付の図面と一緒に取られる場合、明らかになるであろう。
【図１】図１は、本開示の実施形態によるマイクロ波アンテナアセンブリの変形の代表的な図を示す。
【図２】図２は、本開示の実施形態によるマイクロ波切除システムに使用する発生器の代表的な図を示す。
【図３】図３は、本開示の実施形態によるマイクロ波切除システムの代表的な図を示す。
【図４Ａ】図４Ａおよび４Ｂは、本開示の実施形態によるマイクロ波切除システムに使用する同軸ケーブルの代表的な模式図を示す。
【図４Ｂ】図４Ａおよび４Ｂは、本開示の実施形態によるマイクロ波切除システムに使用する同軸ケーブルの代表的な模式図を示す。
【図５】図５は、本開示の実施形態によるマイクロ波切除システムに使用する同軸ケーブルの変形の代表的な図を示す。
【図６】図６は、本開示の実施形態によるマイクロ波切除システムに使用する同軸ケーブルの変形の代表的な図を示す。
【図７】図７は、本開示の実施形態によるマイクロ波切除システムの模式図である。
【発明を実施するための形態】
【００１８】
（詳細な説明）
本開示の特定の実施形態が、添付の図面を参照して、本明細書の以下に記述される。しかしながら、開示された実施形態は単に開示の例示にすぎなく、様々な形で具現化され得ることを理解すべきである。不必要な詳細により本開示が不明瞭になるのを避けるため、周知の機能あるいは構成は詳細には記述されない。従って、本明細書に開示される特定の構造的および機能的詳細は、限定として解釈されるのではなく、単に、特許請求の範囲の基礎として、また、事実上、任意の適宜詳細な構造において、当業者が本開示を様々に採用するための教示に対する代表的基礎として解釈されるべきである。図面の記述を通して、同様な記号は、同様なあるいは同一の要素を参照し得る。図面に示され、以下の記述を通して記載されるように、外科器具における相対的な位置を参照する場合に伝統的なように、用語「近位の」は、使用者により近い装置の端を参照し、また、用語「遠位の」は、使用者からより遠い装置の端を参照する。
【００１９】
電磁エネルギは、概して、エネルギの増加あるいは波長の減少によって、無線波、マイクロ波、赤外線、可視光、紫外線、Ｘ線およびガンマ線に分類される。本明細書で使用されるように、用語「マイクロ波」は、概して、３００メガヘルツ（ＭＨｚ）（３×１０８サイクル／秒）から３００ギガヘルツ（ＧＨｚ）（３×１０１１サイクル／秒）の周波数範囲における電磁波をいう。本明細書で使用されるように、用語「ＲＦ」は、概して、マイクロ波より低い周波数を有する電磁波をいう。用語「切除手順」は、概して、マイクロ波切除あるいはマイクロ波切除支援切除術のような、任意の切除をいう。用語「伝送線」は、概して、ある点から別の点への信号の伝播のために使用される任意の伝送媒体をいう。
【００２０】
図１は、本開示の１つの実施形態によるマイクロ波アンテナアセンブリ１００の実施形態を示す。アンテナアセンブリ１００は、ケーブル１５を介してコネクタ１６に供給線１１０（あるいはシャフト）によって接続された放射部分１２を含み、このコネクタ１６は、さらにアセンブリ１００を、例えば、マイクロ波および／またはＲＦ電気外科発生器である、パワー発生源２８に接続し得る。示されるように、アセンブリ１００は、双極マイクロ波アンテナアセンブリであるが、他のアンテナアセンブリ、例えば単極または漏洩波アンテナアセンブリも本明細書に述べる原理を利用し得る。放射部分１２の遠位放射部分１０５は、先細の端１２０を有し、この先細の端１２０は、先端１２３で終端し最小の抵抗で組織への挿入を可能にする。しかしながら、先細の端１２０は、例えば、限定はされないが、丸くなった、平坦な、方形の、六角形のあるいは円筒円錐形の先端１２３のような別の形状を含み得る。
【００２１】
図２は、本開示の実施形態による、マイクロ波／ＲＦ発生器２００を示す。発生器２００は、ＲＦエネルギを出力しＲＦ絶縁デバイス２０４に結合されているＲＦ発生器を含む。発生器２００は、また、マイクロ波エネルギを出力しマイクロ波絶縁デバイス２０８に結合されているマイクロ波発生器２０６を含む。絶縁デバイス２０４および２０８は、エネルギを第１の電気回路（エネルギ源）から第２の電気回路（例えば、電気負荷）に、直接的な電気接触なしに、例えば、誘導結合、容量結合あるいはアンテナからアンテナへの（無線）エネルギ移送によって、エネルギを移送する、任意の適切なデバイスであり得る。
【００２２】
ＲＦ絶縁デバイス２０４およびマイクロ波絶縁デバイス２０８は、ＲＦエネルギをマイクロ波エネルギと組み合わせるダイプレクサ２１０に結合されている。ダイプレクサ２１０は、周波数帯域多重化法を実装し、ここでは、２つのポートが第３のポートに多重化されている。ダイプレクサ２１０は、ＲＦエネルギがマイクロ波エネルギ源２０６に入るのを遮断し、また、マイクロ波エネルギがＲＦエネルギ源２０２に入るのを遮断する。ダイプレクサ２１０は、ＲＦエネルギとマイクロ波エネルギの両方がアンテナアセンブリ１００に同時に流れることを可能にする。
【００２３】
ユーザインターフェイス２２０は、発生器２００の出力を制御し、ユーザが発生器２００の出力を選択することを可能にするために提供される。ユーザはマイクロ波エネルギ、ＲＦエネルギあるいは、マイクロ波エネルギとＲＦエネルギの両方を同時に出力するように選択し得る。ユーザインターフェイス２２０は、ユーザによって使用され発生器２００を制御する、キーボード、スイッチ、ボタン、液晶ディスプレイ（ＬＣＤ）タッチパネルのような入力デバイス２２２を有し得る。ユーザインターフェイス２２０は、また、ランダムアクセスメモリ（ＲＡＭ）あるいは、発生器を制御するために使用されるプログラムを格納する読み出し専用メモリ（ＲＯＭ）のようなメモリ２２４を含み得る。ユーザインターフェイスは、また、ユーザからの入力を受け入れるプロセッサ２２６を含み、ユーザの入力に基づいて発生器を制御するために使用される信号を発生する。ユーザインターフェイス２２０は、また、発生器２００の状態を表示するように構成されたディスプレイ２２８を有し得る。ディスプレイ２２８は、ＬＣＤ、発光ダイオード（ＬＥＤ）ディスプレイあるいは任意の数の指示灯であり得る。
【００２４】
発生器２００は、また、ＲＦ発生器２０２およびマイクロ波発生器２０６にパワーを提供するパワー源２３０を含む。パワー源２３０は、バッテリあるいは、ＡＣラインに接続される電源であり得る。
【００２５】
図３は、本開示の別の実施形態によるマイクロ波切除システム３００を示す。システム３００においては、図２に示されるように、発生器よりもケーブルに患者の絶縁が提供される。システム３００は、ＲＦ発生器２０２、マイクロ波発生器２０６、ユーザインターフェイス２２０およびパワー源２３０を含む発生器３１０を含む。発生器３１０は、同軸ケーブル３２０を介して、プローブ３３０に結合されている。同軸ケーブル３２０は、図４Ａおよび４Ｂに関して下に記述されるような患者絶縁を提供する。
【００２６】
図４Ａは、図３の同軸ケーブル３２０の模式断面図である。図４Ａに示されるように、同軸ケーブル３２０は、内側導体４０２、外側導体４０４および誘電体材料４０６を含む。内側導体に提供される患者絶縁は、同軸ケーブル３２０の領域「Ａ」に示される。領域「Ａ」において、キャパシタ４１０は、内側導体部分４０２ａと内側導体部分４０２ｂとの間に直列に配置される。キャパシタ４１０は、発生器と患者との間の絶縁を提供する。外側導体に提供される患者絶縁は、領域「Ｂ」に示される。領域「Ｂ」において、任意の数のキャパシタ４１２が、外側導体部分４０４ａと外側導体部分４０４ｂとの間に直列に配置される。キャパシタ４１０および４１２は、任意の個別部品あるいは適切な誘電体材料の層によって形成された分布キャパシタであり得る。追加のシールド４１４が提供されて、望まれない放射を最小にする。シールド４１４は、金、銅、アルミニウムあるいはステンレス鋼を含むが、それらには限定されない、金属あるいは金属合金のような、ほとんどの任意の導電性材料から形成され得る。
【００２７】
図４Ｂは、同軸ケーブル３２０の領域Ｂにおける同軸ケーブルの別の断面を示す。図４Ｂに示されるように、キャパシタ４１２は、外側導体４０４のすべての側に分布されている。このキャパシタは、それらが、使用されている高い方の周波数において短絡回路を形成し、低い方の周波数においては開回路をもたらすように選ばれる。
【００２８】
図５および６は、本開示の実施形態による同軸ケーブルに使用され得る別の絶縁デバイスの例を示す。図５は、中心導体５０４の中に供給される中心ロッド５０２を示す。誘電体境界５０６は、高電圧プラスチックの多重層によりロッド５０２を絶縁することによって、中心導体の中に形成される。絶縁されたロッド５０２と中心導体５０４は、第１の容量結合Ｃ１を形成する。この結合は、中心導体５０４によって重ねられるロッド５０２を絶縁する量に依存する。図６に示されるように、外側導体５０８が提供され、これは中心導体５０４よりも大きな直径を有する。組み立てられると、外側導体５０８は、中心導体５０４から外側誘電体として作用する白色プラスチック材料５１０によって分離される。外側導体５０８と中心導体５０４は、第２の容量結合Ｃ２を形成する。絶縁されたタップ（示されない）が、外側導体５０８および中心導体５０４上に使用されて、２つの導体が電気的に分離されることを確実にする。
【００２９】
図７は、本開示の実施形態による図５および図６の絶縁デバイスを利用するマイクロ波切除システムの模式図を示す。図７に示されるように、マイクロ波発生器７０２およびＲＦ発生器７０４が提供される。Ｃ１は、図５および６の絶縁されたロッド５０２と中心導体５０４との間の容量結合を表わす。Ｃ２は，外側導体５０８と中心導体５０４との間の容量結合を表わす。接地７０６は、地面電位を表わし、接地７０８は、患者の接地を表わす。容量結合Ｃ２は、マイクロ波発生器と患者との間の絶縁を提供する。
【００３０】
変圧器Ｔ１は、所望の電気的パラメータおよびＲＦ発生器７０４と患者との間の安全を満たすＲＦの絶縁を提供する。ＲＦエネルギは、外側導体７１０または中心導体７１２のいずれかにおいてマイクロ波エネルギの中に供給され得る。スイッチＳ１が閉じている場合、ＲＦエネルギはインダクタＬ１を通って外側導体７１０に供給される。スイッチＳ２が閉じている場合、ＲＦエネルギはインダクタＬ２を通って中心導体７１２に供給される。インダクタＬ１およびＬ２は、マイクロ波エネルギがＲＦ発生器７０４に入るのを遮断する。ＲＦの患者接地７１４は、還流パッド（示されない）に結合されるか、あるいはアンテナアセンブリ（示されない）に向けられ得る。
【００３１】
図７の模式図は、マイクロ波絶縁技術を提供し、ここでは障壁は十分大きくなり、クリーページ（誘電体表面伝導）およびクリアランスについてのいかなる安全規制にも合格する。さらに、電圧破壊は十分高くなり、高電圧要求を満たす。
【００３２】
本開示の記述された実施形態は、限定よりも例示を意図しており、本開示のすべての実施形態を提供することは意図されていない。以下の特許請求の範囲に述べられるような開示の精神あるいは範囲から外れることなく、逐語的におよび法律において認められた均等物において、様々な修正および変更がなされ得る。
【符号の説明】
【００３３】
１２  放射部分
１５  ケーブル
１６  コネクタ
２８  パワー発生源
１００  マイクロ波アンテナアセンブリ
１０５  遠位放射部分
１１０  供給線（シャフト）
１２０  先細の端
１２３  先端
【図１】
2011172935.tif 000003
【図２】
2011172935.tif 000004
【図３】
2011172935.tif 000005
【図４Ａ】
2011172935.tif 000006
【図４Ｂ】
2011172935.tif 000007
【図５】
2011172935.tif 000008
【図６】
2011172935.tif 000009
【図７】
2011172935.tif 000010